(57)【特許請求の範囲】
【請求項１】
シリカ蒸着ポリエチレンテレフタレート樹脂フィルムで構成されたバリア層（３）と、黒印刷を施した含浸紙で構成された遮光層（４）とを接合層（８）で積層接合してラベル基材（２）を構成し、該ラベル基材（２）の表面側に印刷層（５）を、また裏面側に接着層（７）をそれぞれ積層してラベル（１）を構成し、該ラベル（１）を、少なくとも合成樹脂製容器本体（９）の胴筒（１０）外周面全域に、前記接着層（７）で接着固定して成るラベル付き容器。
【請求項２】
ラベル(1) を、容器本体(9) の胴筒(10)外周面全域と、底壁(11)下面全域とに、接着層(7) で接着固定した請求項１記載のラベル付き容器。
【請求項３】
透明な樹脂フィルム製の外層(6) の裏面に印刷層(5) を形成した請求項１または２記載のラベル付き容器。
【請求項４】
ラベル(1) をインサート材として容器本体(9) を成形することにより、前記ラベル(1) を容器本体(9) の少なくとも胴筒(10)外周面全域に接着させた請求項１、２または３記載のラベル付き容器。
【発明の詳細な説明】
【０００１】
【発明の属する技術分野】
本発明は、合成樹脂製容器本体の少なくとも胴部外周面全域に、酸素バリア性および遮光性を有するラベルを、接着固定したラベル付き容器に関するものである。
【０００２】
【従来の技術】
酸素バリア性および遮光性を有する容器として、合成樹脂製容器本体の少なくとも胴部外周面全域に、アルミ箔またはアルミ蒸着樹脂フィルムを有する積層構造のラベルを接着固定したラベル付き容器が知られている。
【０００３】
このラベル付き容器は、アルミ箔またはアルミ蒸着樹脂フィルムにより形成される層が、優れた酸素バリア性および遮光性を確実に発揮するので、内容物に対して優れた収納保持能力を発揮することになる。
【０００４】
【発明が解決しようとする課題】
しかしながら、この従来のラベル付き容器に内容物を収納したままの状態で、電子レンジで内容物を調理しようとすると、ラベルを構成しているアルミ箔またはアルミ蒸着層が、高周波電場でスパークしてしまい、電子レンジを使用して内容物を調理することが不可能である、と云う問題があった。
【０００５】
そこで、本発明は、上記した従来技術における問題点を解消すべく創案されたもので、酸素バリア性および遮光性を有すると共に、高周波電場でスパークを発生することのないラベルを得ることを技術的課題とし、もって電子レンジを利用しての調理が可能な、酸素バリア性および遮光性を有する容器を提供することを目的とする。
【０００６】
【課題を解決するための手段】
上記技術的課題を解決する本発明の内、請求項１記載の発明の手段は、
シリカ蒸着ポリエチレンテレフタレート樹脂フィルムで構成されたバリア層と、黒印刷を施した含浸紙で構成された遮光層とを接合層で積層接合してラベル基材を構成すること、
このラベル基材の表面側に印刷層を、また裏面側に接着層をそれぞれ積層してラベルを構成すること、
このラベルを、少なくとも合成樹脂製容器本体の胴筒外周面全域に、ラベルの接着層で接着固定すること、
にある。
【０００７】
バリア層における酸素バリア性を発揮する材料、および遮光層における遮光性を発揮する材料が、共に非導電材であるので、高周波電場内であっても、バリア層および遮光層にスパークが発生することはなく、電子レンジを使用した調理を安全に行うことができる。
【０００８】
酸素バリア層と遮光層とを別々に形成する構成としたので、遮光性を有する非導電材の選択は、遮光性だけを目的として行えば良く、その分、広い範囲での選択が可能となる。
【０００９】
バリア層を、シリカ蒸着ポリエチレンテレフタレート樹脂フィルムで構成したので、シリカの蒸着量の調整により、酸素バリア性を或る程度調整することができると共に、材料費が安価となる。
【００１０】
黒印刷を施した含浸紙は、不透明な紙を使用している分、高い遮光性を発揮し易く、かつ直接印刷層を施す場合、遮光のための顔料の暗色が、印刷の表示に悪影響を与えることがなく、良好な表示状態を得ることができる。
【００１１】
ラベルを、その接着層で、容器本体の少なくとも胴筒外周面全域に接着固定した状態では、ラベルの印刷層が容器の胴筒外表面を形成するので、この印刷層に施された商品名とか説明文等の文字、および装飾模様等が外観として表示されることになる。
【００１２】
請求項２記載の発明は、請求項１記載の発明に、ラベルを、容器本体の胴筒外周面全域と、底壁下面全域とに、接着層で接着固定した、ことを加えたものである。
【００１３】
この請求項２記載の発明においては、容器本体の、口部を除く略全表面をラベルが覆うことになるので、ラベルの発揮する酸素バリア性が、容器全表面において有効に作用し、これにより容器全体として高い酸素バリア性を効果的に発揮することになる。
【００１４】
請求項３記載の発明は、請求項１または２記載の発明に、透明な樹脂フィルム製の外層の裏面に印刷層を形成した、ことを加えたものである。
【００１５】
この請求項３記載の発明においては、外層が印刷層を保護することになると共に、この外層の表面状態を設定することにより、得られる容器の外観を、光沢のある外観とするか、艶消し状の淡い外観とするか、自由に選択設定することが可能となる。
【００１６】
請求項４記載の発明は、請求項１、２または３記載の発明に、ラベルをインサート材として容器本体を成形することにより、ラベルを容器本体の少なくとも胴筒外周面全域に接着させた、ことを加えたものである。
【００１７】
この請求項４記載の発明においては、容器本体の成形と同時に、この容器本体の少なくとも胴筒外周面へのラベルの接着固定が達成され、またこの容器本体に対するラベルの接着固定が、強固にかつ均一に達成される。
【００１８】
【発明の実施の形態】
以下、本発明の実施例を、図面を参照しながら説明する。
容器本体９は、ポリプロピレン樹脂製の射出成形品で、下端を底壁１１で塞いだ、上方にやや拡径したテーパー円筒状の胴筒１０の上端開口縁に、外鍔状のフランジを周設し、胴筒１０の下端に、この胴筒１０を下方に延長して短筒状の脚片を設けて構成されている。
【００１９】
この容器本体１の胴筒１０および底壁１１には、胴筒１０の外周面全域、および底壁１１の下面全域を覆って酸素バリア性および遮光性を有するラベル１が接着固定されている。
【００２０】
このラベル１は、シリカ蒸着ポリエチレンテレフタレート樹脂（ＰＥＴ）フィルムで構成されたバリア層３と、黒印刷を施した含浸紙で構成された遮光層４とを、接合層８で積層接合してラベル基材２を構成し、このラベル基材２の表面側に印刷層５を、またラベル基材２の裏面側に接着層７を積層して構成されている。
【００２１】
ラベル基材２を、遮光層４に対してバリア層３を表面側に位置させて構成した場合（図２参照）には、延伸ポリプロピレンフィルムである外層６の裏面に印刷層５を施し、これを接合層８を介してバリア層３に積層し、また遮光層４の裏面に、ポリプロピレン用接着剤を使用した接着層７を、直接積層してラベル１を構成している。
【００２２】
ラベル基材２を、バリア層３に対して遮光層４を表面側に位置させて構成した場合（図３参照）には、遮光層４の表面に、直接印刷層５を印刷積層し、またバリア層３の裏面に、接合層８を介してポリプロピレン用接着剤を使用した接着層７を積層してラベル１を構成している。
【００２３】
なお、図３図示実施例にあっては、印刷層５によりラベル１の外表面を形成することになるが、ラベル１に外表面に光沢を与えたい場合とか、印刷層５を保護したい場合には、ラベル１の外表面全域にオーバーコート被膜を被覆するのが良い。
【００２４】
また、接着層７は、その材料がポリプロピレン用接着剤に限定されることはなく、ラベル１をインサート材として使用する場合には、ヒートシール剤を使用しても良い。
【００２５】
【発明の効果】
本発明は、上記した構成となっているので、以下に示す効果を奏する。
請求項１記載の発明にあっては、バリア層および遮光層ともに高周波電場内でスパークを発生させることがないので、電子レンジによる調理が可能である、酸素バリア性および遮光性を有する合成樹脂製容器を提供することができる。
【００２６】
また、バリア層と遮光層とを別々に形成する構成としたので、酸素バリア性を有する材料および遮光性を有する材料の選択が、広い範囲で行うことができ、これにより機能的にまた経済的に有利な材料を自由に選択することができる。
【００２７】
さらに、印刷のし易いラベルの印刷層が、そのまま容器の外観として現出されるので、この容器の外観は、装飾効果の高い、また表示効果の高いものとなる。
【００２８】
そして、遮光層を、黒印刷を施した含浸紙で構成することにより、高い遮光性を発揮し易く、遮光のための顔料の暗色が、印刷の表示に悪影響を与えることがなく、良好な表示状態を得ることができる。
【００２９】
請求項２記載の発明にあっては、容器本体の略全表面をラベルが覆うことになるので、ラベルの発揮する酸素バリア性が、容器全表面において有効に作用し、これにより酸素バリア性の高い容器を得ることができる。
【００３０】
請求項３記載の発明にあっては、印刷層を保護できるので、印刷層の優れた装飾効果を長期間発揮させることができると共に、容器の外観および表面の触感を所望するものに設定することができる。
【００３１】
請求項４記載の発明にあっては、容器本体に対するラベルの接着に専用の作業を要することがなく、その分、製造工数が少なくなり、またラベル全体の容器本体に対する均等でかつ強固な接着固定を、確実に達成することができるので、品質の優れた容器を安定して得ることができる。
【図面の簡単な説明】
【図１】  本発明の一実施例を示す、全体縦断面正面図。
【図２】  本発明に使用されるラベルの積層構造の一実施例を示す、拡大断面図。
【図３】  本発明に使用されるラベルの積層構造の他の実施例を示す、拡大断面図。
【符号の説明】
１  ；  ラベル
２  ；  ラベル基材
３  ；  バリア層
４  ；  遮光層
５  ；  印刷層
６  ；  外層
７  ；  接着層
８  ；  接合層
９  ；  容器本体
１０；  胴筒
１１；  底壁
【図１】
0004061398.tif 000002
【図２】
0004061398.tif 000003
【図３】
0004061398.tif 000004